(57)【要約】【課題】光学的に不連続な部分を極力排除することができる、載置された被照明物を照らす装飾照明用の照明装置を提供すること。【解決手段】平坦な設置面上に設置するための支持部９を有する深皿状の下筐体７と、被照明物Ａ，Ｂが載置可能な平面部１０及びこの平面部１０と連続した曲面部１１によって凹状に形成された天板８とで筐体４を構成し、前記天板８を半透明の合成樹脂で成形し、前記筐体４内に光源としての発光ダイオード１４を設けることで、照明装置２を構成したので、把持部を設けなくても、使用者が前記照明装置２を把持しやすいばかりでなく、前記平面部１０から曲面部１１にかけての光学的な変化が連続的で且つ緩やかであるので、前記天板８を透過した光に斑が少なく、美観を良好にすることができる。【選択図】図２
2008027872.tif 000002
【特許請求の範囲】
【請求項１】
筐体と、この筐体内に配される光源とを有する照明装置において、前記筐体が、天板と下筐体とを有して構成され、前記下筐体が皿形状に形成され、この下筐体が平坦面上に載置するための支持部を有すると共に、前記天板が透光性材料で形成され、この天板の中央部を被照明物が載置可能な平面部とし、この平面部の外端から前記天板の外縁までを前記平面部と連続した曲面部とすることで、前記天板を凹状に形成したことを特徴とする照明装置。
【請求項２】
前記天板に載置した際に前記天板の変形量が許容限度となる重量を有する被照明物を前記天板に載置した状態で、重心が前記支持部によって定義される範囲の内側となるように、前記天板の平面部の範囲を規定したことを特徴とする請求項１記載の照明装置。
【請求項３】
前記下筐体を透光性材料で形成したことを特徴とする請求項１乃至２記載の照明装置。
【発明の詳細な説明】
【技術分野】
【０００１】
本発明は、照明装置に関するものであり、特に、被照明物を載置して、載置された被照明物を照らす装飾照明装置に関するものである。
【背景技術】
【０００２】
従来、この種の照明装置としては、コースターの透明な本体内に電源と発光源（本願発明における光源に該当する）と電気回路を設け、コースターに乗せられるコップ等に光を当てるものが知られている（例えば、特許文献１参照。）。そして、このようなコースターでは、発光源が発する光を反射板等で上方に反射させ、上方に置かれるコップ等に多くの光を当てるように構成されている。また、前記コースターの上面には、コップ等が置かれる部分に凹部が形成されている。
【特許文献１】実用新案登録第３０６４１０４号公報
【発明の開示】
【発明が解決しようとする課題】
【０００３】
しかしながら、このような装飾照明用の照明装置においては、透光性を有する部分に光学的に不連続となる部分が形成されているため、透光性を有する部分から発散する光に斑が生じるという問題があった。また、上部にコップ等の被照明物を一つだけ載せることができる小型のコースターであれば問題とならないが、被照明物を複数載せられる大型の照明装置の場合、前述したようなコースターをそのまま拡大した構造を採用すると、使用者が把持し難いため、移動させにくくなってしまうという問題がある。この問題を解決するために、照明装置を把持するための凹部や凸部を形成すると、光学的に不連続な或いは断続した部分が生ずるため、この場合も、透光性を有する部分から発散する光に斑が生じるという問題があった。
【０００４】
本発明は以上の問題点を解決し、光学的に不連続な部分を極力排除することができる、載置された被照明物を照らす装飾照明用の照明装置を提供することを目的とする。
【課題を解決するための手段】
【０００５】
本発明の請求項１に記載の照明装置は、筐体と、この筐体内に配される光源とを有する照明装置において、前記筐体が、天板と下筐体とを有して構成され、前記下筐体が皿形状に形成され、この下筐体が平坦面上に載置するための支持部を有すると共に、前記天板が透光性材料で形成され、この天板の中央部を被照明物が載置可能な平面部とし、この平面部の外端から前記天板の外縁までを前記平面部と連続した曲面部とすることで、前記天板を凹状に形成したものである。
【０００６】
また、本発明の請求項２に記載の照明装置は、請求項１において、前記天板に載置した際に前記天板の変形量が許容限度となる重量を有する被照明物を前記天板に載置した状態で、重心が前記支持部によって定義される範囲の内側となるように、前記天板の平面部の範囲を規定したものである。
【０００７】
更に、本発明の請求項３に記載の照明装置は、請求項１乃至２において、前記下筐体を透光性材料で形成したものである。
【発明の効果】
【０００８】
本発明の請求項１に記載の照明装置は、以上のように構成することにより、使用者が親指を前記天板の曲面部に当て、他の指を皿状に形成された前記下筐体の外周部に当てて把持することで、前記照明装置を把持しやすくすることができる。また、前記光源が発した光が前記天板を通過する際、前記平面部から曲面部にかけての光学的な変化（反射や屈折等）が緩やかであるので、前記天板を通過した光に斑が少なく、美観を良好にすることができる。
【０００９】
また、本発明の請求項２に記載の照明装置は、以上のように構成することにより、前記平面部に載置可能な被照明物を前記平面部に載置しても、重心が前記支持部によって定義される領域から外れないので、前記照明装置が倒れないようにすることができる。
【００１０】
更に、本発明の請求項３に記載の照明装置は、以上のように構成することにより、前記天板に載置された被照明物だけでなく、前記照明装置が置かれた場所の周囲も照明することができる。
【発明を実施するための最良の形態】
【００１１】
以下、本発明の実施例について、図１乃至図３に基づいて説明する。１は照明システムである。この照明システム１は、防水型の照明装置２と、充電台３とで構成されている。
【００１２】
前記照明装置２は、筐体４と発光ユニット５とを有して構成されている。そして、前記筐体４は、中央に取付孔部６が形成された深皿状の下筐体７と、この下筐体７の上部に取り付けられた天板８とを有して構成されている。そして、前記下筐体７の取付孔部６には、前記発光ユニット５が取り付けられている。なお、前記下筐体７は、半透明、即ち透光性を有する合成樹脂によって成形されている。そして、前記下筐体７の下縁は、前記照明装置２を平坦面上に設置する際の支持部９となる。また、前記天板８は、中央部に形成された平面部１０と、この平面部１０の外端から前記天板８の外縁にかけて前記平面部１０と連続して形成された曲面部１１とを有して構成されている。なお、ここで言う「連続」とは、切れずに繋がっているという意味ではなく、前記平面部１０（平面）と前記曲面部１１（曲面）とが数学的に連続であるという意味であり、端的に言えば、前記平面部１０と前記曲面部１１とが滑らかに繋がっているという意味である。そして、図２に示すような使用状態において、前記平面部１０は、前記天板８の外縁よりも僅かに低くなるように形成されていると共に、前記平面部１０から前記天板８の外縁にかけて、前記曲面部１１によって、外側ほど高くなるように形成されている。また、前述したように、前記天板８の平面部１０の面と曲面部１１の面が連続して形成されているので、光学的な特性、即ち光の屈折や反射が、前記平面部１０と曲面部１１の境界で突然変化することがなく、前記平面部１０から曲面部１１にかけて徐々に変化するように構成されている。また、前記天板８は、載置可能な最大重量（即ち、前記天板８の平面部１０に載置した際に、この平面部１０の変形量が許容限度となる重量）を有する被照明物Ａ，Ｂ（図２では酒器等）を前記平面部１０に載置した状態で、前記照明装置２と被照明物Ａ，Ｂとの合成重心が、前記支持部９で囲まれる範囲の内側となるように、前記平面部１０と曲面部１１の境界が規定されている。更に、前記下筐体７の上縁部と前記天板８の外縁部は熔着されていると共に、この熔着部分は水密になっている。
【００１３】
前記発光ユニット５は、前記下筐体７の取付孔部６に水密に取り付けられている。そして、前記発光ユニット５は、第二筐体１２と、この第二筐体１２の内部に設けられた二次電池１３と、前記第二筐体１２の上方に設けられた光源としての高出力型の発光ダイオード１４と、前記第二筐体１２の下面に設けられたスイッチ操作部１５及び受電端子１６，１７とを有して構成されている。そして、前記第二筐体１２の上面には、前記発光ダイオード１４に対向して凹状の反射部１８が形成されている。なお、この反射部１８は、白色の合成樹脂によって前記第二筐体１２と一体に形成されている。また、前記スイッチ操作部１５と第二筐体１２との隙間は水密となっている。また、前記発光ダイオード１６は、アルミニウム合金等で構成される放熱体１９の下面に、この放熱体１９に対して電気的に絶縁された状態で且つ伝熱的に取り付けられている。そして、前記第二筐体１２の下面には、環状の凹部２０が形成されており、この凹部２０に前記受電端子１７が設けられている。なお、前記受電端子１７と第二筐体１２との隙間は、図示しないパッキン等によって水密となっている。また、前記第二筐体１２の下面中央には取付孔部２１が形成されており、この取付孔部２１に前記受電端子１６が設けられている。なお、前記受電端子１６と取付孔部２１との隙間は、パッキン２２によって水密となっている。更に、前記受電端子１７が設けられた凹部２０と前記受電端子１６は、同心状に形成されている。
【００１４】
前記充電台３の上面には、前記凹部２０に対応して環状の給電端子２３が設けられている。なお、この給電端子２３で囲まれた領域の中央には、前記受電端子１６に対応して図示しない給電端子が形成されている。
【００１５】
次に、本実施形態の作用について説明する。まず、使用者は、前記充電台３に前記照明装置２を設置することで、この照明装置２の発光ユニット５に収容された前記二次電池１３を予め充電しておく。この際、前記充電台３の上面に設けられた環状の前記給電端子２３が前記照明装置２の発光ユニット５の底面に形成された環状の凹部２０に入り込むことで、前記充電台３に対して前記照明装置２が位置決めされる。そして、このように前記照明装置２が前記充電台３に対して位置決めされることで、前記充電台３に設けられた図示しない給電端子は、前記照明装置２の発光ユニット５の底面に設けられた前記受電端子１６に対して確実に当接する。また、前記給電端子２３は、前記凹部２０内に設けられた前記受電端子１７に対して確実に当接する。この状態で前記照明装置２に電力が供給されることで、図示しない充電回路によって前記二次電池１３が充電される。
【００１６】
そして、このように前記二次電池１３が充電された照明装置２を使用する場合、まず使用者は、前記照明装置２を前記充電台３から持ち上げて取り外す。この際、前記照明装置２の天板８の曲面部１０に親指を当てると共に、深皿状に形成された前記下筐体７に他の指を当てるようにすれば、把持部が形成されていない本実施形態の構造であっても把持しやすい。そして、使用者は、前記スイッチ操作部１５を操作して前記発光ダイオード１４を点灯させた後、把持した前記照明装置２を平坦な任意の場所に設置する。この際、前記支持部９が平坦な設置面に当接する。また、前述したように、前記照明装置２が防水型であることから、前記照明装置２は水等で濡れる虞のある場所に設置することができる。そして、このようにして任意の平坦な設置面に設置された前記照明装置２は、前記発光ダイオード１４が発した光によって周囲を照らす。即ち、前記発光ダイオード１４が発した光は、前記反射部１８や下筐体７や天板８等で反射した後、半透明な合成樹脂によって成形された前記下筐体７及び天板８を透過して前記照明装置２外に放射され、この放射された光によって前記照明装置２の周囲が照らされる。なお、前記下筐体７及び天板８が半透明な合成樹脂によって成形されていることによって、光が前記下筐体７及び天板８を透過する際に散乱し、これによって、前記照明装置２から放射される光は、いわゆる柔らかい光となる。また、前述したように、前記下筐体７が半透明な合成樹脂によって成形されていることで、前記照明装置２から放射された光によって設置面上を照らすことができる。更に、前記天板８が前記平面部１０と曲面部１１とで構成されているものの、これら平面部１０の面と曲面部１１の面とが連続して形成されているので、光学的な特性、即ち光の屈折や反射が、前記平面部１０と曲面部１１の境界で唐突に変化することがなく、前記平面部１０から曲面部１１にかけて緩やかに変化し、これによって、前記天板８を通過した光にできる斑を少なくすることができ、美観を良好にすることができる。
【００１７】
そして、このように平坦な設置面上に点灯状態で設置された前記照明装置２の天板８の平面部１０に、被照明物Ａ，Ｂを設置すると、これらの被照明物Ａ，Ｂは、前記天板８を透過した柔らかい光によって照らされる。なお、前記天板８は、周辺部が曲面部１１となっていることで、この曲面部１１に被照明物Ａ，Ｂが設置しにくく、実質的に、中央周辺に形成された平面部１０にのみ被照明物Ａ，Ｂが設置できる。そして、前記平面部１０と曲面部１１の境界が、載置可能な最大重量を有する被照明物Ａ，Ｂを前記平面部１０に載置した状態で、前記照明装置２と被照明物Ａ，Ｂとの合成重心が、前記支持部９で囲まれる範囲の内側となるように規定されているので、前記平面部１０に被照明物Ａ，Ｂを設置する限りにおいて、前記照明装置２が転倒しないようにすることができる。また、前記天板８が前記平面部１０と曲面部１１とで凹状に形成されていることから、前記天板８上に水等の液体がこぼれたとしても、前記天板８で受け止めることができる。これによって、こぼれた液体が設置面を汚す虞を減少させることができる。
【００１８】
なお、前記照明装置２は、防水型であること、前記二次電池１３等の重量物が中央下部の前記発光ユニット５に集中しており、低重心であること、前記下筐体７が深皿状に形成されていることなどから、浴槽等、水上に浮かべて安定して使用することができる。このため、水上に浮かべられた前記照明装置２の天板８の平面部１０に前記被照明物Ａ，Ｂを設置することもできる。そして、この際、平坦な設置面に前記照明装置２を設置する場合と同様に、前記被照明物Ａ，Ｂだけでなく、水中も前記下筐体７を透過した光によって照らすことができる。
【００１９】
以上のように本発明は、平坦な設置面上に設置するための支持部９を有する深皿状の下筐体７と、被照明物Ａ，Ｂが載置可能な平面部１０及びこの平面部１０と連続した曲面部１１によって凹状に形成された天板８とで筐体４を構成し、前記天板８を半透明の合成樹脂で成形し、前記筐体４内に光源としての発光ダイオード１４を設けることで、照明装置２を構成したので、把持部を設けなくても、使用者が前記照明装置２を把持しやすいばかりでなく、前記平面部１０から曲面部１１にかけての光学的な変化が連続的で且つ緩やかであるので、前記天板８を透過した光に斑が少なく、美観を良好にすることができるものである。また、本発明は、前記被照明物Ａ，Ｂが載置可能な前記天板８の平面部１０の範囲を、前記天板８に載置した際に前記天板８の変形量が許容限度となる重量を有する被照明物Ａ，Ｂを前記天板８に載置した状態で、重心が前記支持部９によって定義される範囲の内側となるように、規定したことで、前記平面部１０に載置可能な被照明物Ａ，Ｂを前記平面部１０に載置しても、重心が前記支持部９によって定義される領域から外れないので、前記照明装置２が倒れないようにすることができるものである。更に、本発明は、前記天板８だけでなく、前記下筐体７も半透明の合成樹脂で形成したことで、前記天板８に載置された被照明物Ａ，Ｂだけでなく、前記照明装置２が設置された場所の周囲も照明することができるものである。
【００２０】
なお、本発明は以上の実施形態に限定されるものではなく、発明の要旨の範囲内で種々の変形実施が可能である。例えば、上記実施形態では、天板及び下筐体を半透明の合成樹脂で成型したが、透明な合成樹脂で成形してもよい。また、透明な合成樹脂で成形した天板及び下筐体の表面を粗くしてもよい。また、上記実施形態では、透光性を有する材質として合成樹脂を用いたが、ガラス等を用いてもよい。また、上記実施形態では、光源として高出力型の発光ダイオードを用いたが、これ以外の光源を用いてもよい。更に、上記実施形態では、電源として二次電池を用いたが、乾電池等の一次電池を用いてもよい。
【図面の簡単な説明】
【００２１】
【図１】本発明の一実施形態を示す照明装置と充電台とから成る照明システムの正面図である。
【図２】本発明の一実施形態を示す照明装置の使用状態における断面図である。
【図３】本発明の一実施形態を示す照明装置の底面図である。
【符号の説明】
【００２２】
２  照明装置
４  筐体
７  下筐体
８  天板
９  支持部
１０  平面部
１１  曲面部
１４  発光ダイオード（光源）
Ａ，Ｂ  被照明物
【図１】
2008027872.tif 000003
【図２】
2008027872.tif 000004
【図３】
2008027872.tif 000005